(57)【特許請求の範囲】
【請求項１】
分割成形した上部品と下部品とを支柱部の端面において溶着し、少なくとも上部デッキボードは天板と天板の下面に設けた補強リブとからなるパレットにおいて、天板にはパレットの間口方向及び奥行方向のいずれにおいてもパレット端面からそれぞれの寸法の４分の１よりもパレット中心側にのみ複数の手掛け孔を設けてなり、前記手掛け孔は手を差し込み可能な大きさの透孔の周縁の一部または全部に天板の下面に手掛けリブを形成してなり、前記手掛け孔以外の部分の天板は閉じていることを特徴とするプラスチック製パレット。
【請求項２】
前記透孔が長方形状であり、長手方向の両側に手掛けリブを形成したことを特徴とする請求項１に記載のプラスチック製パレット。
【請求項３】
前記透孔の周縁を囲むように設けた補強リブの一部の高さを低くして手掛けリブとしたことを特徴とする請求項１に記載のプラスチック製パレット。
【発明の詳細な説明】
【０００１】
【発明の属する技術分野】
この発明は荷物の保管、運搬の際に使用するフォークリフト用のプラスチック製パレットに係り、特に手で操作できるようにしたプラスチック製パレットに関する。
【０００２】
【従来の技術】
従来、荷物の保管、運搬用のプラスチック製パレットは、荷物を載置してフォーク差込口にフォークリフトのフォークを挿入して持ち上げ、移動されるが、パレット自体を保管、管理する場合には、床面に接地させて積み重ねたりあるいはパレットの両端部に台座をおいて支持する、いわゆるラック積みが行われる。そして、積み重ねる際には、パレットの端面を揃えたり、次に使用する際にフォークを挿入し易くするためにフォーク差込口の方向を変えたりする手作業が行われる。また、パレットを１つだけ人手により運搬しなければならない場合がある。
【０００３】
上記作業はフォーク差込口に手を差し込んでデッキボードの内面に設けたリブや支柱部に手をかけて行われ、四方差しタイプの場合はいずれの方向においても手を差し込むことができるが、二方差しタイプの場合には一方向にはフォーク差込口がないから手をかけることができない。このために、二方差しタイプにおいても手をかけることができるように、フォーク差込方向に沿って配置された複数本の桁のうち両端に位置する端桁の側板部に把手部を設けたパレットが提案されている（特開平８−１３３２８６号公報）。前記パレットでは、作業性、操作性が向上するものの次のような問題がある。
【０００４】
【発明が解決しようとする課題】
前記把手部は側板部の表面に開口する凹状を形成してなるものであるから、手を差し込むことにより持ち上げたり引きずって移動させたりすることができるものの、側板部が壁面に当接している場合や、側板部同士が当接している場合など手を差し込むことができない場合には、前記把手部を使用することはできない。また、パレットを人手によって運搬する場合には、二方差しタイプばかりでなく四方差しタイプにおいても、手掛け孔がないために抱え込んで持ち上げることができず、側面を接地させて引きずりながら移動させなければならないという問題があった。また、デッキボード面に透孔が形成されているパレットでも、透孔が小さくて指が入らないとか、指が入っても当たりが悪く手が痛くなったり、持ち上げたときのバランスが悪く安全に持ち運ぶことができない等の問題がある。
【０００５】
そこで、この発明は上記問題を解決し、いずれの方向からでも手を引っかけてずらすことができるばかりでなく、抱え込んで持ち運びができるようにしたプラスチック製パレットを提供するものである。
【０００６】
【課題を解決するための手段】
この発明は上記目的を達成するために次のような構成とした。即ち、この発明の請求項１に係るプラスチック製パレットは、分割成形した上部品と下部品とを支柱部の端面において溶着し、少なくとも上部デッキボードは天板と天板の下面に設けた補強リブとからなるパレットにおいて、天板にはパレットの間口方向及び奥行方向のいずれにおいてもパレット端面からそれぞれの寸法の４分の１よりもパレット中心側にのみ複数の手掛け孔を設けてなり、前記手掛け孔は手を差し込み可能な大きさの透孔の周縁の一部または全部に天板の下面に手掛けリブを形成してなり、前記手掛け孔以外の部分の天板は閉じていることを特徴とする。請求項２に係るプラスチック製パレットは、前記透孔が長方形状であり、長手方向の両側に手掛けリブを形成したことを特徴とする。請求項３に係るプラスチック製パレットは、前記透孔の周縁を囲むように設けた補強リブの一部の高さを低くして手掛けリブとしたことを特徴とする。
【０００７】
【発明の実施の形態】
以下に、この発明を図示する実施形態について詳細に説明する。図１はパレットの上面斜視図、図２は底面斜視図である。パレット１は、上部デッキボード３と下部デッキボード５とを四隅の支柱部７及びその中間に設けた中間支柱部９で連結してなり、上下デッキボード３、５と支柱部７及び支柱部９で囲まれた空隙をフォーク差込口１０とした四方差しパレットである。上記パレットは予め分割成形した上部品と下部品とを支柱部において突き合わせ溶着してなり、支柱部は中空構造とされている。
【０００８】
前記上部デッキボード３は、天板１１と前記天板１１の下面に縦横に設けた補強リブ１３とからなる。また、下部デッキボード５は、各支柱部間においてのみ連結するように設けられており、各支柱部で囲まれた部分は開孔部１５とされている。この発明の特徴は、デッキボードに手掛け孔１７を設けた点にある。即ち、前記手掛け孔１７は、天板１１の任意の位置に透孔１７ａを設け、前記透孔１７ａ周縁を囲むように天板１１の下面に前記補強リブ１３を設けるとともに、前記補強リブ１３の一部の高さを低くして手掛けリブ１７ｂとすることにより構成したものである。図示する実施形態では、手掛け孔１７は長方形状の透孔１７ａであって、長手方向の補強リブを手掛けリブ１７ｂとしたものである。
【０００９】
前記手掛け孔１７は、図１に示すように、間口方向Ｘ、奥行方向Ｙのいずれにおいてもパレット端面から長さ寸法の４分の１よりもパレット中心側に設けることが好ましい。このように、手掛け孔１７をパレット端面から長さ寸法の４分の１よりもパレット中心側に設けることによって、持ち上げたときのバランスがよく、手に力を入れ易いという効果がある。前記手掛け孔１７を構成する透孔１７ａは手が差し込み可能な大きさであれば方形状に限らず、楕円形状であってもよい。また、前記手掛けリブ１７ｂの高さは適宜決定することができるが、天板１１の下面から１５〜３０ｍｍとすることが好ましい。
【００１０】
図６は、他の実施形態を示し、手掛けリブを持ち易くしたものである。即ち、透孔１７ａの長手方向に指が馴染むように先端面を波形にした手掛けリブ１７ｃを設ける構成としたものである。このように先端面を波形に形成した手掛けリブ１７ｃとすることによってより安定した状態で持つことができる。
【００１１】
尚、上記実施形態では、透孔１７ａの周縁に補強リブ１３を設け、その一部を手掛けリブ１７ｂ、手掛けリブ１７ｃとし、前記手掛けリブは透孔の両側に対向するように設けたが、手掛け孔は周縁の補強リブを全て手掛けリブとしてもよく、あるいは一辺の補強リブのみを手掛けリブとしてもよい。また、手掛け孔の周縁には補強リブを設けることなく、一辺あるいは二辺に手掛けリブを設ける構成とすることもできる。さらに、パレットのタイプは四方差しタイプに限定されるものではなく、二方差しタイプであってもよい。
【００１２】
【発明の効果】
この発明に係るプラスチック製パレットは、デッキボードの適宜の位置に手掛け孔を設けたから、手を引っかけて持ち上げたり、ずらしたりすることができ、パレットの整理、保管作業を能率良く、しかも安全に行うことができる。また、積み重ねられたパレットが壁面等に当接したり、側面から手を入れる隙間がない場合にもパレットを持ち上げることができる。
【図面の簡単な説明】
【図１】パレットの上面斜視図である。
【図２】パレットの下面斜視図である。
【図３】上部デッキボードの一部の下面図である。
【図４】上部デッキボードにおける手掛け孔を示す拡大断面図である。
【図５】同じく手掛け孔を示す一部を切り欠いた要部斜視図である。
【図６】他の実施形態の手掛け孔を示す一部を切り欠いた要部斜視図である。
【符号の説明】
１  パレット
３  上部デッキボード
５  下部デッキボード
７  支柱部
９  中間支柱部
１０  フォーク差込口
１１  天板
１３  補強リブ
１５  開口部
１７  手掛け孔
１７ａ  透孔
１７ｂ  手掛けリブ
１７ｃ  手掛けリブ
【図１】
0003943641.tif 000002
【図２】
0003943641.tif 000003
【図３】
0003943641.tif 000004
【図４】
0003943641.tif 000005
【図５】
0003943641.tif 000006
【図６】
0003943641.tif 000007